(57)【要約】 【課題】  排水性がよく、従って、落葉等の塵芥が停滞しにくく、しかも、スポーツ自転車、三輪車、乳母車等の走行時にタイヤのはまり込み並びに歩行時に靴のヒールのはまり込み等の支障を来すことがないばかりでなく、臭気放出を抑制する効果のある雨水桝蓋を提供する。【解決手段】長方形の支持枠１上に、両側を切欠した天板２を設け、前記切欠した部分の支持枠に流入物を前記天板２の下に案内するメインスロープ３ａ，３ａとサイドスロープ３ｂ，３ｂ，３ｂ，３ｂを設け、天板２の上面に突起から成るスリップ止４を施す。【選択図】図１
2018115454.tif 000002
【特許請求の範囲】
【請求項１】
請求項１記載の発明は、支持枠上に雨水や塵芥等の流入物の流入側を切欠した天板を設け、前記切欠した部分の支持枠に前記天板の下に流入物を案内するガイドスロープを設けたことを特徴とする雨水桝蓋。
【請求項２】
方形の支持枠上に、両側を切欠した天板を設け、前記切欠した部分の支持枠に流入物を前記天板の下に案内するガイドスロープを設けたことを特徴とする雨水桝蓋。
【請求項３】
任意形状の支持枠上に、周囲適数箇所を切欠した天板を設け、前記切欠した部分の支持枠に、流入物を前記天板の下に案内するガイドスロープを設けたことを特徴とする雨水桝蓋。
【請求項４】
天板の上部に凹凸、滑り止め塗装等のスリップ止を施したことを特徴とする請求項１ないし３のいずれかに記載の雨水桝蓋。
【発明の詳細な説明】
【技術分野】
【０００１】
本発明は、排水性能が良く、しかも靴のヒールやスポーツ自転車、三輪車又は乳母車のタイヤのはまり込みを生じることのない雨水桝蓋に関するものである。
【背景技術】
【０００２】
近年、雨水桝蓋は、コンクリート製蓋に代わり、９０％以上が鋼製のグレーチングが用いられている。
【０００３】
しかし、グレーチングは隙間に、靴のヒールやタイヤ幅の狭いスポーツ用自転車、乳母車または三輪車のタイヤのはまり込みの問題があり、道路の側縁、特に横断歩道部や公園等に設けた雨水桝蓋としては不適切なものであった。
【０００４】
また、グレーチングを雨水桝蓋として用いた場合、雨量が少ないと、グレーチングの周囲に落葉等の塵芥が溜まり、そのあと落葉等が流れてくると、堆積した落葉の前に更に溜まり、一層見苦しい状態となる。更にグレーチングは開口部が大きいので雨水桝中の汚物が丸見えであるばかりでなく、臭気放出源となっていた。
【先行技術文献】
【特許文献】
【０００５】
【特許文献１】実公昭５１−１２３７号公報
【特許文献１】実公昭５１−２９６２５号公報
【発明の概要】
【発明が解決しようとする課題】
【０００６】
本発明は、排水性がよく、従って、落葉等の塵芥が停滞しにくく、しかも、スポーツ自転車、三輪車、乳母車等の走行時にタイヤのはまり込み並びに歩行時に靴のヒールのはまり込み等の支障を来すことがないばかりでなく、臭気放出を抑制する効果のある雨水桝蓋を提供することを課題とするものである。
【課題を解決するための手段】
【０００７】
本発明は、上記の課題を解決するためになされたもので、請求項１記載の発明は、支持枠上に雨水や塵芥等の流入物の流入側を切欠した天板を設け、前記切欠した部分の支持枠に前記天板の下に流入物を案内するガイドスロープを設けたことを特徴とする雨水桝蓋である。
【０００８】
請求項２記載の発明は、方形の支持枠上に、両側を切欠した天板を設け、前記切欠した部分の支持枠に流入物を前記天板の下に案内するガイドスロープを設けたことを特徴とする雨水桝蓋である。
【０００９】
請求項３記載の発明は、任意形状の支持枠上に、周囲適数箇所を切欠した天板を設け、前記切欠した部分の支持枠に、流入物を前記天板の下に案内するガイドスロープを設けたことを特徴とする雨水桝蓋である。
【００１０】
請求項４記載の発明は、請求項１ないし３記載の発明において、天板の上部に凹凸、滑り止め塗装等のスリップ止を施したことを特徴とする雨水桝蓋である。
【発明の効果】
【００１１】
請求項１ないし３記載の発明によれば、雨水桝は透孔のない天板とガイドスロープによって覆われるので、スポーツ自転車、乳母車、三輪車等の走行や靴のヒールによる歩行に支障を来すことがないので、横断歩道や公園等に設けた雨水桝蓋として好適である。また、雨水桝内の汚物の目隠しとなるので美観上優れており、且つ臭気発生が抑制される。更にガイドスロープによって水勢が強化されるので、グレーチングよりも排水機能がよく、落葉等の塵芥の停滞のない雨水桝蓋を提供することが出来る。
【００１２】
また請求項４記載の発明によれば、スリップ止めを天板上面に設けたことにより転倒を抑制する効果がある。
【図面の簡単な説明】
【００１３】
【図１】本発明の実施例１の平面図である。
【図２】本発明の実施例１の底面図である。
【図３】本発明の実施例１の図１のＡ−Ａ線断面図である。
【図４】本発明の実施例１の図１のＢ−Ｂ線断面図である。
【図５】本発明の実施例２の平面図である。
【図６】本発明の実施例２の底面図である。
【図７】本発明の実施例２の図５のＣ−Ｃ線断面図である。
【発明を実施するための形態】
【００１４】
以下本発明の実施形態について説明するが、本発明は次に述べる形態にのみ限定されるものではないことは勿論である。
【実施例１】
【００１５】
図１は、本発明の実施例の平面図、図２はその底面図、図３は図１のＡ−Ａ線断面図、図４は図１のＢ−Ｂ線断面図である。
【００１６】
この実施例１は、主として道路の側縁に設けられるＬ形溝列中に並設される雨水桝用の蓋で、長方形の支持枠１上に、両側を切欠した天板２を設け、前記切欠した部分の支持枠に流入物を前記天板２の下に案内するメインスロープ３ａ，３ａとサイドスロープ３ｂ，３ｂ，３ｂ，３ｂを設けたもので、天板２の上面には突起から成るスリップ止４が施してある。
【００１７】
以上のように構成されるので、タイヤ巾の狭いスポーツ自転車や乳母車又は三輪車が走行しても、グレーチングのようにタイヤがはまり込むことがなく、また靴のヒールもはまり込むことがないので、特に横断歩道に設けた雨水枡の雨水桝蓋として好適である。
【００１８】
また、雨水はメインスロープ３ａとサイドスロープ３ｂに案内されて、天板２の下に流入し、グレーチングのように落葉等の塵芥が蓄積することがない。更にスリップ止４が設けられているので、転倒事故を未然に防止する作用がある。なお、この実施例ではスリップ止４を突起としたが、滑り止め塗装を施すようにしてもよい。
【００１９】
また、この雨水桝蓋は、雨水桝内が見えないように天板２でカバーするので、歩行者に不快感を与えることがなく、しかも臭気蒸発を抑制する効果があり、実用上雨水桝蓋として優れている。
【実施例２】
【００２０】
図５は実施例２の平面図、図６はその底面図、図７は図５のＣ−Ｃ線断面図である。
【００２１】
この実施例２は、公園や広場等に設けた雨水枡の雨水桝蓋として好適なもので、円形の支持枠５上に、周囲８箇所を切欠した天板６を設け、前記切欠した部分の支持枠に流入物を前記天板６の下に案内するスロープ７，７，７，７，７，７，７，７を設けたもので、天板６の上面には実施例１の雨水桝蓋と同様、突起から成るスリップ止８が設けられている。
【００２２】
以上のように構成されているので、雨水は四方から雨水桝中に流入するので、排水性能に優れている。また、実施例１の雨水桝蓋と同様、歩行、走行に支障を生ずることがない。また、雨水桝内を外部から見えないように遮蔽するので、美観上も優れており、臭気発生抑制効果があるため、公園や広場用の雨水桝蓋として好適なものである。なお、この雨水桝蓋を使用した雨水桝は、切欠部が手掛けとなり開閉が容易であるから、災害時の仮設トイレとしても利用することができる。
【符号の説明】
【００２３】
１，５        支持枠
２，６        天板
３ａ          メインスロープ
３ｂ          サイドスロープ
４，８        スリップ止
７            スロープ
【図１】
2018115454.tif 000003
【図２】
2018115454.tif 000004
【図３】
2018115454.tif 000005
【図４】
2018115454.tif 000006
【図５】
2018115454.tif 000007
【図６】
2018115454.tif 000008
【図７】
2018115454.tif 000009